(57)【要約】【課題】光を変調する変調光学部品の温度上昇を抑制できる投射光学装置を提供する。【解決手段】プロジェクター１は、ランプ１５と、ランプ１５からの光をその断面形状を規定しつつ透過させる開口３３ｈが形成された見切板３３と、見切板３３を透過した光を変調するパネル部品３５と、見切板３３及びパネル部品３５を保持する外枠３７とを有し、見切板３３は、開口３３ｈから外枠３７に当接する部分までの間に、外枠３７に当接する部分よりも熱伝導度の低い断熱部４７を有する。【選択図】図４
2009282422.tif 000002
【特許請求の範囲】
【請求項１】
光源と、
前記光源からの光をその断面形状を規定しつつ透過させる開口が形成された開口部材と、
前記開口部材を透過した光を変調する変調光学部品と、
前記開口部材及び前記変調光学部品を保持する保持部材と、
を有し、
前記開口部材は、前記開口から前記保持部材に当接する部分までの間に、前記保持部材に当接する部分よりも熱伝導度の低い断熱部を有する
投射光学装置。
【請求項２】
前記断熱部は、
外側部と、
前記外側部の内部に設けられ、前記外側部よりも熱伝導度の低い内側部と、
を有する
請求項１に記載の投射光学装置。
【請求項３】
前記内側部は、真空空間である
請求項２に記載の投射光学装置。
【請求項４】
前記断熱部は、前記外側部の、前記真空空間を形成する内周面間に挟まれ、前記外側部を形成する材料よりも剛性率の高いスペーサを有する
請求項３に記載の投射光学装置。
【請求項５】
前記開口部材は、
前記変調光学部品に対して光路方向において対向し、前記開口が形成された対向部と、
前記対向部の縁部から前記光路方向に突出し、前記保持部材に係合する係合部と、
を有し、
前記断熱部は、前記対向部にのみ設けられている
請求項３に記載の投射光学装置。
【請求項６】
光源と、
前記光源からの光をその断面形状を規定しつつ透過させる開口が形成された開口部材と、
前記開口部材を透過した光を変調する変調光学部品と、
前記開口部材及び前記変調光学部品を、前記開口部材が前記変調光学部品に当接しない状態で保持する保持部材と、
を有し、
前記開口部材は、前記保持部材よりも熱伝導度が低く構成されている
投射光学装置。
【発明の詳細な説明】
【技術分野】
【０００１】
本発明は、プロジェクター等の投射光学装置に関する。
【背景技術】
【０００２】
液晶プロジェクター等の投射光学装置において、光源からの光の断面形状を規定する開口部材と、光源からの光を変調する変調光学部品とを有するものが知られている。例えば、特許文献１では、変調光学部品としての液晶パネルと、液晶パネルの入射側に配置された開口部材としての見切板とを有する投射光学装置が開示されている。液晶パネルは、光源からの光を変調して画像を形成する。見切板は、スクリーン上の投影範囲を所定形状（例えば矩形）に整えて、画像の美感向上等に寄与する。また、特許文献１では、装置の小型化や組立容易化等の目的から、見切板は、液晶パネルを保持する枠状の保持部材に固定されている。
【０００３】
一方、このような投射光学装置では、光源からの光が変調光学部品に投射されることにより、変調光学部品の温度が上昇する。変調光学部品の温度上昇は、例えば、画質の低下や変調光学部品の寿命低下を招くおそれがある。そこで、特許文献１では、保持部材を熱伝導度の高い材料により構成することにより、液晶パネルの熱を保持部材を介して効率的に放熱し、液晶パネルの温度上昇抑制を図っている。
【特許文献１】特開２００４−２７９９６４号公報
【発明の開示】
【発明が解決しようとする課題】
【０００４】
近年、プロジェクター等の投射光学装置の高輝度化が進み、液晶パネル等の変調光学部品に入射する光量が非常に大きくなっている。従って、一層の変調光学部品の温度上昇抑制が望まれている。
【０００５】
ここで、開口部材は、光源からの光の断面を規定しているから、変調光学部品と同様に、光源からの光が投射されて温度が上昇する。開口部材は保持部材に当接しているから、開口部材の熱は、保持部材に伝達され、保持部材の放熱負担が増大する。その結果、液晶パネルの熱を保持部材から放熱する効率が低下するおそれがある。特許文献１では、このような問題に言及されていない。
【０００６】
本発明の目的は、光を変調する変調光学部品の温度上昇を抑制できる投射光学装置を提供することにある。
【課題を解決するための手段】
【０００７】
本発明の第１の観点の投射光学装置は、光源と、前記光源からの光をその断面形状を規定しつつ透過させる開口が形成された開口部材と、前記開口部材を透過した光を変調する変調光学部品と、前記開口部材及び前記変調光学部品を保持する保持部材と、を有し、前記開口部材は、前記開口から前記保持部材に当接する部分までの間に、前記保持部材に当接する部分よりも熱伝導度の低い断熱部を有する。
【０００８】
好適には、前記断熱部は、外側部と、前記外側部の内部に設けられ、前記外側部よりも熱伝導度の低い内側部と、を有する。
【０００９】
好適には、前記内側部は、真空空間である。
【００１０】
好適には、前記断熱部は、前記外側部の、前記真空空間を形成する内周面間に挟まれ、前記外側部を形成する材料よりも剛性率の高いスペーサを有する。
【００１１】
好適には、前記開口部材は、前記変調光学部品に対して光路方向において対向し、前記開口が形成された対向部と、前記対向部の縁部から前記光路方向に突出し、前記保持部材に係合する係合部と、を有し、前記断熱部は、前記対向部に設けられている。
【００１２】
本発明の第２の観点の投射光学装置は、光源と、前記光源からの光をその断面形状を規定しつつ透過させる開口が形成された開口部材と、前記開口部材を透過した光を変調する変調光学部品と、前記開口部材及び前記変調光学部品を、前記開口部材が前記変調光学部品に当接しない状態で保持する保持部材と、を有し、前記開口部材は、前記保持部材よりも熱伝導度が低く構成されている。
【発明の効果】
【００１３】
本発明によれば、光を変調する変調光学部品の温度上昇を抑制できる。
【発明を実施するための最良の形態】
【００１４】
図１は、本発明の実施形態のプロジェクター１の概略構成を示す斜視図である。なお、以下では、赤色（Ｒ）光、緑色（Ｇ）光及び青色（Ｂ）光に対応する構成を示す符号に、Ｒ、Ｇ及びＢの付加符号を付し、また、当該付加符号を適宜に省略することがある。
【００１５】
プロジェクター１は、照明光を生成する光学エンジン３と、光学エンジン３の生成した光を所定の波長域（色）毎の光（例えば、赤色光、緑色光及び青色光）に分離する分離光学系５と、分離光学系５により分離された各波長域の光が入射するプリ偏光板７Ｒ、７Ｇ及び７Ｂと、プリ偏光板７Ｒ、７Ｇ及び７Ｂを透過した光が入射するパネルユニット９Ｒ、９Ｇ及び９Ｂ（ただし、パネルユニット９Ｒは、他の部材に隠れて不図示）と、パネルユニット９Ｒ、９Ｇ及び９Ｂを透過した光を合成する光合成プリズム１１と、光合成プリズム１１の合成した光を不図示のスクリーンへ投射する投射レンズユニット１３とを有している。
【００１６】
なお、プロジェクター１は、上記の構成要素の他にも、上記の構成要素を収容する筐体や、パネルユニット９等へ電力を供給する駆動回路、その駆動回路を制御する制御装置等を有するが、図示は省略する。
【００１７】
光学エンジン３は、例えば、ランプ１５と、ランプ１５の生成した光を成形する成形ユニット１７とを有している。ランプ１５は、例えば、発光管１９と、発光管１９の生成した光を反射するリフレクタ２１とを有している。発光管１９は、例えば、ハロゲンランプ、メタルハイドランプ、キセノンランプにより構成されている。成形ユニット１７は、例えば、不図示のフライアイレンズを有しており、ランプ１５の生成した光を均一化して出射する。
【００１８】
分離光学系５は、複数のダイクロックミラーや複数の反射ミラーを有し、成形ユニット１７からの光をＲ、Ｇ及びＢの各色の光に分離して、プリ偏光板７へ導く。具体的には、以下に例示するとおりである。
【００１９】
成形ユニット１７からの光は、第１ダイクロックミラー２３により、Ｂ光が透過されるとともに、残りの光が反射される。透過されたＢ光は、第１反射ミラー２５により反射されてプリ偏光板７Ｂに入射する。第１ダイクロックミラー２３により反射された光は、第２ダイクロックミラー２７により、Ｇ光が反射されるとともに、Ｒ光が透過される。反射されたＧ光は、プリ偏光板７Ｇに入射する。第２ダイクロックミラー２７により透過されたＲ光は、第３反射ミラー２９及び第４反射ミラー３１により反射されてプリ偏光板７Ｒに入射する。
【００２０】
なお、上記では、Ｂ光の透過による分離、及び、Ｇ光の反射による分離が順に行われる場合を例示したが、Ｒ光、Ｇ光及びＢ光は、どのような順番で分離されても、反射又は透過のいずれにより分離されてもよい。すなわち、各色に対応する光学部品（パネルユニット９等）及び成形ユニット１７の配置、並びに、当該配置に対応した分離光学系５の構成は、適宜に設定されてよい。また、分離光学系５は、適宜な位置にフィールドレンズやコンデンサレンズを有して構成されてよい。
【００２１】
プリ偏光板７は、分離光学系５からの光を所定の方向に振動する偏光に変換する。後述するように、偏光板は、パネルユニット９にも含まれているが、プリ偏光板７と、パネルユニット９に含まれる偏光板とで、分離光学系５からの光を偏光に変換する機能を分担することにより、偏光板において生じる温度上昇を分散し、パネルユニット９における温度上昇を抑制することができる。
【００２２】
パネルユニット９は、プリ偏光板７からの光を変調する。具体的には、パネルユニット９は、光路を横断する平面内に配列された複数の画素を有し、複数の画素毎にプリ偏光板７からの光の透過量を制御して画像を生成する。この際、パネルユニット９Ｒ、９Ｇ及び９Ｂは、各色に対応した互いに異なる制御信号が入力されて、各色に対応した画像を生成する。
【００２３】
光合成プリズム１１は、パネルユニット９Ｒ、９Ｇ及び９Ｂから出射された、各色に対応した画像の光を合成し、一の画像の光を投射レンズユニット１３へ射出する。投射レンズユニット１３は、レンズ鏡筒と、レンズ鏡筒内に配置された不図示のレンズとを有しており、光合成プリズム１１からの画像を拡大して不図示のスクリーンへ投射する。
【００２４】
図２は、パネルユニット９の斜視図である。図３は、パネルユニット９の分解斜視図である。図２においては、紙面上方側が入射側（プリ偏光板７側）である。図３においては、紙面右上側が入射側である。
【００２５】
パネルユニット９は、入射側から順に、見切板３３と、パネル部品３５と、外枠３７とを有している。また、パネル部品３５からは、ＴＡＢ４２が延出している。
【００２６】
見切板３３は、不図示のスクリーン上における投影範囲、換言すれば、パネル部品３５における有効画素を規定するものである。見切板３３は、例えば、光路に直交する基部３３ａを有している。基部３３ａには、開口３３ｈが形成されている。開口３３ｈは、例えば矩形である。パネルユニット９に入射する光（プリ偏光板を出射した光）は、例えば、図２において点線の領域ＡＬで示すように、開口３３ｈよりも広い範囲で基部３３ａへ向けて投射される。基部３３ａに向けて投射された光は、その断面形状が規定されつつ、開口３３ｈを透過する。なお、領域ＡＬは、例えば、矩形である。
【００２７】
パネル部品３５は、図３に示すように、入射側防塵ガラス３９Ｉと、液晶パネル４１と、出射側防塵ガラス３９Ｏと（以下、入射側防塵ガラス３９Ｉ及び出射側防塵ガラス３９Ｏを、単に「防塵ガラス３９」といい、これらを区別しないことがある。）とを有している。
【００２８】
液晶パネル４１は、第１ガラス基板４３と第２ガラス基板４５とを有している。液晶パネル４１は、この他、特に図示しないが、第１ガラス基板４３及び第２ガラス基板４５との間に封入される液晶と、液晶を一定方向へ配向させる配向膜と、液晶に電圧を印加する共通電極及び複数の画素電極と、第１ガラス基板４３の入射側に設けられる入射側偏光板と、第２ガラス基板４５の出射側に設けられる出射側偏光板とを有している。
【００２９】
共通電極及び複数の画素電極により液晶に電圧が印加されると、液晶は、配向膜によって揃えられた配向方向から、印加された電圧に応じた角度だけずれた方向へ配向する。これにより、入射側偏光板を透過した偏光は、液晶を透過するときの旋光の角度が制御され、ひいては、出射側偏光板を透過する光量が制御される。そして、印加される電圧が複数の画素電極毎に制御されることにより、液晶パネル４１の光の透過率が複数の画素毎に制御され、画像が形成される。なお、プリ偏光板は、出射側偏光板と同一方向の偏光を透過させる。
【００３０】
ＴＡＢ４２は、例えばＦＰＣにより構成されており、共通電極及び複数の画素電極に電圧を印加するための不図示のドライバ等が設けられている。ＴＡＢ４２は、不図示の制御装置に接続されている。
【００３１】
防塵ガラス３９は、塵の像がスクリーンに結像することを防止するためのものである。すなわち、プロジェクター１は、液晶パネル４１とスクリーンとが共役となるように光学系が設計されているから、液晶パネル４１に塵が付着すると、塵の像がスクリーンに結像してしまう。そこで、パネル部品３５は、防塵ガラス３９を液晶パネル４１に重ねて、防塵ガラス３９に塵を付着させるように構成されている。これにより、塵は、スクリーンの共役点からずれた位置に付着することになり、デフォーカスされてスクリーンにおいて視認され難くなる。
【００３２】
なお、入射側防塵ガラス３９Ｉ及び出射側防塵ガラス３９Ｏは、それぞれ、液晶パネル４１の入射側偏光板及び出射側偏光板に兼用されていてもよい。また、液晶パネル４１の入射側偏光板は、入射側防塵ガラス３９Ｉよりも入射側に設けられていてもよいし、液晶パネル４１の出射側偏光板は、出射側防塵ガラス３９Ｏよりも出射側に設けられていてもよい。液晶パネル４１及び防塵ガラス３９は、例えば、樹脂により互いに固定されている。
【００３３】
外枠３７は、パネル部品３５を保持するとともに、パネル部品３５の放熱を補助するためのものである。外枠３７は、例えば、パネル部品３５（より詳細には出射側防塵ガラス３９Ｏ）に対向する遮光部３７ａ（図３）と、パネル部品３５の外周を囲む包囲部３７ｂとを有している。
【００３４】
遮光部３７ａには、光を透過させるための開口３７ｈ（図３）が形成されている。開口３７ｈは、パネル部品３５（より詳細には出射側防塵ガラス３９Ｏ）よりも小さい面積に形成されており、パネル部品３５（より詳細には出射側防塵ガラス３９Ｏ）は遮光部３７ａに当接する。包囲部３７ｂの内周は、パネル部品３５の外周よりも大きく形成されており、包囲部３７ｂの内周面と、パネル部品３５の外周面との間には、接着用樹脂４６（図４参照）が充填される。これにより、外枠３７と、パネル部品３５とは互いに固定される。なお、包囲部３７ｂの４辺のうち、１辺は、ＴＡＢ４２を延出可能に切り欠かれている。
【００３５】
外枠３７は、放熱性のよい材料により構成される。例えば、外枠３７は、高分子材料（ＰＣ、ＰＳ等）や金属（アルミニウム、マグネシウム等）により構成されている。そして、パネル部品３５において生じた熱は、直接的に、又は、接着用樹脂４６を介して間接的に、外枠３７に伝達され、外枠３７の表面から外枠３７の周囲の空気又は他の放熱部材へ放出される。
【００３６】
なお、外枠３７は、例えば、包囲部３７ｂに設けられた複数の貫通孔３７ｊにネジが挿通され、そのネジがプロジェクター１の不図示の筐体又は当該筐体に固定された他の部材に螺合されることにより、プロジェクター１の筐体に対して固定される。
【００３７】
外枠３７は、更に、プロジェクター１の小型化や見切板３３の取付容易性等を目的として、見切板３３を保持するように構成されている。具体的には、外枠３７の包囲部３７ｂの外周面には、光路外側へ突出する複数の被係合部３７ｅが形成されている。一方、見切板３３には、基部３３ａから外枠３７側（光路方向）へ突出する複数の係合部３３ｅが形成されている。基部３３ａが包囲部３７ｂの入射側の面に当接するように見切板３３及び外枠３７が配置されると、複数の係合部３３ｅは包囲部３７ｂの外周面に嵌合し、且つ、複数の係合部３３ｅが複数の被係合部３７ｅそれぞれに係合する。これにより、見切板３３は外枠３７に保持される。この際、見切板３３とパネル部品３５（より詳細には入射側防塵ガラス３９Ｉ）とは当接しない（図４参照）。
【００３８】
ここで、図２の領域ＡＬで示したように、ランプ１５からの光は、見切板３３の、開口３３ｈの周囲部分に照射されていることから、当該部分においては熱が生じる。その熱が外枠３７に伝わると、外枠３７の放熱の負担が増加し、外枠３７によるパネル部品３５の放熱が効率的に行われないおそれがある。そこで、本実施形態では、見切板３３の、開口３３ｈの周囲部と、外枠３７とが断熱されるように、見切板３３が構成されている。具体的には以下のとおりである。
【００３９】
図４は、図２のＩＶ−ＩＶ線における断面を示す概略図である。なお、図４では、理解を容易にするために、開口３３ｈを小さく図示するなどしている。
【００４０】
見切板３３は、開口３３ｈの周囲部分を構成する断熱部４７と、それ以外の部分を構成する取付部４９とを有している。
【００４１】
断熱部４７は、基部３３ａのうち、開口３３ｈから領域ＡＬの外縁までの枠状部分を含んで構成されており、開口３３ｈを囲んでいる。なお、断熱部４７の外縁は、領域ＡＬの外縁と一致していてもよい。領域ＡＬの外縁及び断熱部４７の外縁は、例えば、外枠３７の包囲部３７ｂの内周面よりも内側に位置しており、断熱部４７は、外枠３７に当接していない。なお、領域ＡＬの外縁及び断熱部４７の外縁は、外枠３７の包囲部３７ｂの内周面よりも外側に位置していてもよい。取付部４９は、基部３３ａのうち断熱部４７よりも外側部分及び係合部３３ｅを構成しており、外枠３７に当接している。
【００４２】
断熱部４７は、取付部４９よりも熱伝導度が低く構成されている。具体的には、以下に例示するとおりである。断熱部４７は、外側部４７ａと、外側部４７ａの内部に設けられ、外側部４７ａよりも熱伝導度の低い内側部４７ｂとを有している。従って、断熱部４７は、外側部４７ａを構成する材料により断熱部４７全体が構成された場合に比較して、全体として、熱伝導度が低くなっている。
【００４３】
その結果、例えば、外側部４７ａ及び取付部４９が互いに同一の材料により構成された場合には、換言すれば、外側部４７ａ及び取付部４９が互いに同一の熱伝導度である場合には、断熱部４７は、全体として、取付部４９よりも熱伝導度が低くなる。なお、外側部４７ａの熱伝導度が、取付部４９の熱伝導度よりも低い場合には、当然に、断熱部４７は、取付部４９よりも熱伝導度が低い。また、外側部４７ａの熱伝導度が、取付部４９の熱伝導度よりも高くても、内側部４７ｂの熱伝導度が取付部４９の熱伝導度よりも低ければ、内側部４７ｂの体積比率や熱伝導度等によっては、断熱部４７は、全体として、取付部４９よりも熱伝導度が低くなる。ただし、外側部４７ａの熱伝導度は、取付部４９の熱伝導度以下であることが好ましい。
【００４４】
取付部４９及び外側部４７ａの組み合わせは、例えば、金属−金属（同一の金属でも異なる金属でもよい。）、金属−樹脂、樹脂−樹脂（同一の樹脂でも異なる樹脂でもよい。）である。金属は、例えば、ステンレス鋼である。
【００４５】
なお、断熱部４７は、熱伝導度が互いに異なる外側部４７ａ及び内側部４７ｂを有することから、熱伝導度に異方性がある。この場合、領域ＡＬへの光の投射により生じた熱の外枠３７への熱の流れ方向において、断熱部４７の熱伝導度と取付部４９の熱伝導度とを比較すればよい。例えば、図４の例では、基部３３ａの入射側表面且つ領域ＡＬ内から、外枠３７の包囲部３７ｂの入射側表面及び外周面（見切板３３との接触面）への方向（概ね、図４の紙面左右方向）において熱伝導度を比較すればよい。ただし、外側部４７ａの熱伝導度が取付部４９の熱伝導度以下である場合には、熱の流れ方向を考慮するまでもなく、熱伝導度が外側部４７ａよりも低い内側部４７ｂを有する断熱部４７は、取付部４９よりも熱伝導度が低い。
【００４６】
内側部４７ｂは、例えば、入射方向に直交する方向へ広がる層状に形成されている。従って、断熱部４７の入射側表面（図４の紙面上方側の表面）において、光の投射により生じた熱は、内側部４７ｂによって断熱部４７の出射側表面への伝達が著しく妨げられる。その結果、光の投射により生じた熱は、外側部４７ａの入射側の部分のみを伝達して取付部４９に伝達せざるを得ない。内側部４７ｂの厚さは、断熱部４７の熱伝導度や強度等を考慮して適宜に設定されてよいが、例えば、０．２ｍｍである。
【００４７】
内側部４７ｂは、例えば、真空空間、気体空間、液体空間、又は、固体材料により形成されている。真空空間は、気体（例えば空気）の圧力が大気圧よりも低い空間である。気体空間は、大気圧以上の気体（例えば空気）が存在する空間である。液体空間は、液体（例えば水）が存在する空間である。固体材料は、例えば、樹脂である。なお、真空空間の真空度は、真空度が高いほど真空空間の断熱効果が高くなる一方で、真空度が高いと、大気圧により断熱部４７が破損するおそれがあることを考慮して、適宜に設定される。
【００４８】
内側部４７ｂが真空空間により構成される場合には、断熱部４７は、例えば、先に形成された外側部４７ａの内部空間（内側部４７ｂとなる部分）を真空引きすることにより形成される。内側部４７ｂが空気空間又は液体空間により構成される場合には、断熱部４７は、例えば、先に形成された外側部４７ａの内部空間（内側部４７ｂとなる部分）に気体又は液体が充填されることにより形成される。内側部４７ｂが樹脂により構成される場合には、断熱部４７は、例えば、先に形成された外側部４７ａの内部空間に樹脂が充填されることにより形成されてもよいし、２色成形又はインサート成形により形成されてもよいし、形成後の内側部４７ｂ及び外側部４７ａの組み立てにより形成されてもよい。
【００４９】
外側部４７ａは、金属のプレス加工、又は、樹脂の射出成形等により適宜に形成されてよい。また、内側部４７ｂの厚さを薄くする場合には、外側部４７ａは、例えば、互いに対向する２枚の板状部材４７ｃ及び４７ｄを対向配置し、その隙間の空間を、２枚の板状部材４７ｃ及び４７ｄの外周部に配置された密閉部材４７ｅ及び取付部４９により密閉することにより形成されてもよい。なお、この場合、板状部材４７ｃ及び４７ｄ、密閉部材４７ｅ、並びに、取付部４９は、これらの一部が一体的に形成されていてもよい。また、取付部４９は、板状部材４７ｃ及び４７ｄの密閉に寄与していなくてもよい（密閉部材４７ｅが取付部４９側に設けられていてもよい。）。
【００５０】
取付部４９が金属により構成される場合、基部３３ａの外周部及び係合部３３ｅは、例えば、プレス加工により形成される。取付部４９が樹脂により構成される場合、基部３３ａの外周部及び係合部３３ｅは、例えば、樹脂の射出成形により一体的に形成される。なお、基部３３ａの外周部及び係合部３３ｅは、それぞれが金属又は樹脂により形成され、樹脂等により互いに固定されることにより形成されてもよい。断熱部４７（又は外側部４７ａ）と取付部４９とは、例えば、樹脂により固定される。なお、外側部４７ａと取付部４９とは一体的に構成されていてもよい。
【００５１】
図５は、図４の領域Ｖにおける拡大図である。
【００５２】
断熱部４７は、外側部４７ａの、内側部４７ｂを挟む内周面に挟まれた複数のスペーサ５１を有している。複数のスペーサ５１は、例えば、外側部４７ａよりも剛性が高い材料により構成されている。例えば、複数のスペーサ５１は、外側部４７ａが金属や樹脂により構成されているのに対し、セラミックにより構成されている。複数のスペーサ５１の形状及び配置位置は、適宜に設定されてよい。
【００５３】
内側部４７ｂが、真空空間、気体空間、又は、液体空間により構成されている場合、スペーサ５１は、外側部４７ａのこれらの空間を形成する内周面に固定されている。なお、固定は、例えば、樹脂により、板状部材４７ｃ及び４７ｄの少なくとも一方に対して行われる。そして、スペーサ５１は、断熱部４７の破損、例えば、板状部材４７ｃ及び４７ｄの撓みによる破損を抑制する。内側部４７ｂが固体材料により構成されている場合には、スペーサ５１は、内側部４７ｂを構成する固体材料よりも剛性率が高い材料により構成され、断熱部４７の破損を抑制する。
【００５４】
本実施形態によれば、プロジェクター１は、ランプ１５と、ランプ１５からの光をその断面形状を規定しつつ透過させる開口３３ｈが形成された見切板３３と、見切板３３を透過した光を変調するパネル部品３５と、見切板３３及びパネル部品３５を保持する外枠３７と、を有し、見切板３３は、開口３３ｈから外枠３７に当接する部分までの間に、外枠３７に当接する部分（取付部４９）よりも熱伝導度の低い断熱部４７を有することから、ランプ１５からの光が開口３３ｈの周囲に投射されることによって生じた見切板３３の熱が外枠３７へ伝達されることが抑制され、外枠３７を介したパネル部品３５の放熱が効率的に行われる。
【００５５】
断熱部４７は、外側部４７ａと、外側部４７ａの内部に設けられ、外側部４７ａよりも熱伝導度の低い内側部４７ｂと、を有することから、種々の材料を組み合わせて好適な態様を実現できる。例えば、遮光性があり、熱伝導度が低く、ある程度の強度を有する断熱部を、遮光性が高く強度の高い外側部４７ａと、熱伝導度が低い内側部４７ｂとで実現することなどができる。
【００５６】
特に、内側部４７ｂが真空空間である場合には、高い断熱性が得られるとともに、材料費の削減、小型化、又は、軽量化の効果が得られる。このとき、外側部４７ａの、真空空間を形成する内周面間に挟まれ、外側部４７ａを形成する材料よりも剛性率の高いスペーサ５１は、大気圧により断熱部４７が破損することを効果的に抑制できる。
【００５７】
見切板３３は、パネル部品３５に対して光路方向において対向し、開口３３ｈが形成された基部３３ａと、基部３３ａの縁部から光路方向に突出し、外枠３７に係合する係合部３３ｅと、を有し、断熱部４７は、基部３３ａにのみ設けられていることから、内側部３３ｂ及び外側部３３ａを有する多層構造の断熱部４７を構成することが容易化される。すなわち、係合部３３ｅのような屈曲したり、及び／又は、小さい開口が形成される部位を多層構造に構成する必要性がない。
【００５８】
なお、以上の実施形態において、プロジェクター１は本発明の投射光学装置の一例であり、発光管１９、ランプ１５又は光学エンジン３は本発明の光源の一例であり、見切板３３は本発明の開口部材の一例であり、液晶パネル４１又はパネル部品３５は本発明の変調光学部品の一例であり、外枠３７は本発明の保持部材の一例である。
【００５９】
本発明は、以上の実施形態に限定されず、種々の態様で実施されてよい。
【００６０】
投射光学装置は、プロジェクターに限定されない。例えば、対象物を照らす照明装置であってもよい。変調光学部品は、画素毎に光を変調したり、時間経過に伴って変調方法を異ならせるものに限定されず、投射範囲全体に亘って均一な変調を施すものであってもよいし、時間経過に関らずに一定の変調を行うものであってもよい。変調は、光量を変化させるものに限定されず、例えば、スペクトル、波長、偏光の振動方向を変化させるものであってもよい。
【００６１】
また、投射光学装置がプロジェクターである場合、変調光学部品は、液晶パネルを含むものに限定されず、例えば、ＤＭＤを含むものであってもよい。変調光学部品が液晶パネルを含むものである場合、変調光学部品は、透過型のものに限定されず、反射型のものであってもよい。
【００６２】
開口部材（実施形態では見切板３３）は、変調光学部品（実施形態では液晶パネル４１又はパネル部品３５）に当接していても当接していなくてもよい。ただし、当接していないほうが、開口部材の開口（３３ｈ）の周囲部分に投射された光によって生じた熱が変調光学部品へ伝達されることが抑制されて好ましい。
【００６３】
断熱部は、外側部及び内側部を有さず、全体が、保持部材（実施形態では外枠３７）に当接する部分（実施形態では取付部４９）を構成する材料よりも熱伝導度が低い材料により形成されていてもよい。この場合も、開口部材（実施形態では見切板３３）の開口（３３ｈ）の周囲部分における熱が保持部材へ伝達されることが抑制される。
【００６４】
また、断熱部が、外側部及び内側部を有する場合において、スペーサは省略されてもよい。外側部の内周面にリブを形成して断熱部の断熱性を維持しつつ、断熱部の強度を向上させてもよい。
【００６５】
開口部材（実施形態では見切板３３）及び変調光学部品（実施形態ではパネル部品３５等）の保持部材（実施形態では外枠３７）への固定は、係合部や樹脂による接着に限定されない。例えば、開口部材及び変調光学部品はネジにより保持部材に固定されてもよい。
【００６６】
断熱部は、少なくとも、開口部材（実施形態では見切板３３）の開口から開口部材が保持部材（実施形態では外枠３７）に当接する位置までの間に設けられれば、開口部材の開口（３３ｈ）の周囲部分に投射された光によって生じた熱が保持部材へ伝達されることが抑制される。従って、例えば、断熱部は、開口部材の光が照射される領域（実施形態の領域ＡＬ）の外側に配置されていてもよい。また、断熱部が、開口部材が保持部材に当接する部分まで広がっていてもよいし、開口部材全体が断熱部であってもよい。
【００６７】
なお、開口部材全体が断熱部である場合には、例えば、開口部材の熱伝導度が、保持部材の熱伝導度に比較して低いときに、開口部材全体が断熱部であると特定することができる。
【００６８】
開口部材（実施形態では見切板３３）の開口（３３ｈ）を囲むように配置されていなくてもよい。上述のように、断熱部が、開口部材（実施形態では見切板３３）の開口から開口部材が保持部材（実施形態では外枠３７）に当接する位置までの間に設けられれば、多少なりとも、保持部材への熱の伝達が抑制されるからである。従って、例えば、実施形態では、外枠３７の包囲部３７ｂは、図３の紙面上方側がＴＡＢ４２を延出させるために切り欠かれており、見切板３３に当接していないから、断熱部は、図３の紙面上方側を除く３方においてのみ設けられてもよい。
【図面の簡単な説明】
【００６９】
【図１】本発明の実施形態に係るプロジェクターの概略構成を示す斜視図。
【図２】図１のプロジェクターのパネルユニットの斜視図。
【図３】図２のパネルユニットの分解斜視図。
【図４】図２のＩＶ−ＩＶ線における端面図。
【図５】図４の領域Ｖの拡大図。
【符号の説明】
【００７０】
１…プロジェクター、１５…ランプ（光源）、３３…見切板（開口部材）、３３ｈ…開口、３５…パネル部品（変調光学部品）、３７…外枠（保持部材）、４７…断熱部。
【図１】
2009282422.tif 000003
【図２】
2009282422.tif 000004
【図３】
2009282422.tif 000005
【図４】
2009282422.tif 000006
【図５】
2009282422.tif 000007